(57)【要約】      （修正有）【課題】建造物内の部屋の内開き式の開き戸の後付けの室内錠として使用でき、かつ、施錠時の室内からの脱出を可能にした室内錠を提供する。【解決手段】内開き式の開き戸１に、室外方向に突出する施錠部材保持片３を取付部４を介して取り付け、この施錠部材保持片３の先端側に施錠部材５を装着し、この施錠部材５を戸枠側に当接させることにより施錠を行うもので、施錠部材保持片３と取付部４とを室内側で分離可能に構成して、施錠部材５が施錠状態のときに、施錠部材保持片３と取付部４とを室内側で分離して解錠することができるようにする。【選択図】図２
0003225629.tif 000002
【実用新案登録請求の範囲】
【請求項１】
内開き式の開き戸に、室外方向に突出する施錠部材保持片を取付部を介して取り付け、該施錠部材保持片の先端側に施錠部材を装着し、該施錠部材を戸枠側に当接させることにより施錠を行う室内錠であって、前記施錠部材保持片と取付部とを室内側で分離可能に構成して、施錠部材が施錠状態のときに、施錠部材保持片と取付部とを室内側で分離して解錠することができるようにするとともに、施錠部材に戸枠当接部及び扉当接部を一体に設けたことを特徴とする室内錠。
【請求項２】
前記取付部にカムをばねの付勢力に抗して引き操作可能に配設し、該カムの係止部を施錠部材保持片の基端側に形成した係止孔に係合させることにより、施錠部材保持片に取付部を一体化させるようにするとともに、カムをばねの付勢力に抗して引き操作することにより、カムの係止部と、施錠部材保持片の基端側に形成した係止孔との係合を解除することにより、施錠部材保持片と取付部とを室内側で分離可能にしたことを特徴とする請求項１に記載の室内錠。
【請求項３】
前記施錠部材の戸枠当接部に、戸枠当接体を突出寸法を調節可能に設けたことを特徴とする請求項１又は２に記載の室内錠。
【請求項４】
前記施錠部材の戸枠当接部の戸枠当接体に、戸枠当接体の突出寸法を調節する回転操作用キャップを設けたことを特徴とする請求項３に記載の室内錠。
【請求項５】
前記施錠部材の戸枠当接部の戸枠当接体に緩衝機構を設けたことを特徴とする請求項３又は４に記載の室内錠。
【考案の詳細な説明】
【技術分野】
【０００１】
本考案は、例えば、建造物内の部屋の開き戸（扉）に後付けで使用する室内錠に関し、特に、施錠時の室内からの緊急脱出を可能にした室内錠に関するものである。
【背景技術】
【０００２】
近年、民泊等の需要が増えており、一般家庭においても、相続した物件等を民泊に利用することがある。
このような場合、例えば、３ＬＤＫの物件の２部屋だけを貸したい場合、残りの１部屋の施錠をするために、扉に加工を施すことなく後付けで使用できる室内錠の要請がある。
また、民泊以外でも、特定の部屋の施錠をするために、扉に加工を施すことなく後付けで使用できる室内錠の要請がある。
【０００３】
ところで、開き戸（扉）に後付けで使用する錠としては、ピッキングによる盗難対策のために、マンション等の開き戸に後付けの補助錠が設置される機会が多くなっている。
この補助錠としては、開き戸の戸枠側に、開き戸の開き方向に突出する施錠部材保持片を取り付け、この施錠部材保持片に施錠部材を装着し、この施錠部材を開き戸に外側から当接させることにより施錠を行う補助錠が知られている（例えば、特許文献１参照）。
【０００４】
しかしながら、特許文献１に記載の補助錠は、外開き式の開き戸用のもので、建造物内の部屋の開き戸（扉）に用いられる、内開き式の開き戸には適用できないということに加え、以下の使用形態において、室内に人がいることに気付かずに、室外から施錠をしてしまった場合、室内からの脱出ができないという問題があった。
【先行技術文献】
【特許文献】
【０００５】
【特許文献１】特開平９−１００６６５号公報
【考案の概要】
【考案が解決しようとする課題】
【０００６】
本考案は、上記従来の補助錠の有する問題点に鑑み、建造物内の部屋の内開き式の開き戸の後付けの室内錠として使用でき、かつ、施錠時の室内からの脱出を可能にした室内錠を提供することを目的とする。
【課題を解決するための手段】
【０００７】
上記目的を達成するため、本考案の室内錠は、内開き式の開き戸に、室外方向に突出する施錠部材保持片を取付部を介して取り付け、該施錠部材保持片の先端側に施錠部材を装着し、該施錠部材を戸枠側に当接させることにより施錠を行う室内錠であって、前記施錠部材保持片と取付部とを室内側で分離可能に構成して、施錠部材が施錠状態のときに、施錠部材保持片と取付部とを室内側で分離して解錠することができるようにするとともに、施錠部材に戸枠当接部及び扉当接部を一体に設けたことを特徴とする。
【０００８】
この場合において、前記取付部にカムをばねの付勢力に抗して引き操作可能に配設し、該カムの係止部を施錠部材保持片の基端側に形成した係止孔に係合させることにより、施錠部材保持片に取付部を一体化させるようにするとともに、カムをばねの付勢力に抗して引き操作することにより、カムの係止部と、施錠部材保持片の基端側に形成した係止孔との係合を解除することにより、施錠部材保持片と取付部とを室内側で分離可能にすることができる。
【０００９】
また、前記施錠部材の戸枠当接部に、戸枠当接体を突出寸法を調節可能に設けることができる。
そして、前記施錠部材の戸枠当接部の戸枠当接体に、戸枠当接体の突出寸法を調節する回転操作用キャップを設けることができる。
【００１０】
また、前記施錠部材の戸枠当接部の戸枠当接体に緩衝機構を設けることができる。
【考案の効果】
【００１１】
本考案の室内錠によれば、内開き式の開き戸に、室外方向に突出する施錠部材保持片を取付部を介して取り付け、該施錠部材保持片の先端側に施錠部材を装着し、該施錠部材を戸枠側に当接させることにより施錠を行う室内錠の前記施錠部材保持片と取付部とを室内側で分離可能に構成して、施錠部材が施錠状態のときに、施錠部材保持片と取付部とを室内側で分離して解錠することができるようにすることにより、内開き式の開き戸の後付けの室内錠として使用でき、かつ、施錠時の室内からの脱出を可能にすることができ、さらに、施錠部材に戸枠当接部及び扉当接部を一体に設けるようにしているため、不正開錠がされにくい、安全性及びデザイン性の高い室内錠とすることができる。
【００１２】
また、前記取付部にカムをばねの付勢力に抗して引き操作可能に配設し、該カムの係止部を施錠部材保持片の基端側に形成した係止孔に係合させることにより、施錠部材保持片に取付部を一体化させるようにするとともに、カムをばねの付勢力に抗して引き操作することにより、カムの係止部と、施錠部材保持片の基端側に形成した係止孔との係合を解除することにより、施錠部材保持片と取付部とを室内側で分離可能にすることにより、引き操作という簡易な操作によって、施錠時の室内からの脱出を可能にすることができるため、安全性を一層向上することができる。
【００１３】
また、前記施錠部材の戸枠当接部に、戸枠当接体を突出寸法を調節可能に設けることにより、仕様の異なる種々の内開き式の開き戸及び戸枠に、がたつき等を生じることなく、簡易に対応することができる。
そして、前記施錠部材の戸枠当接部の戸枠当接体に、戸枠当接体の突出寸法を調節する回転操作用キャップを設けることにより、戸枠に対する戸枠当接体の当接状態を確実にするとともに、戸枠当接体の突出寸法の調節を簡単に行うことができる。
【００１４】
また、前記施錠部材の戸枠当接部の戸枠当接体に緩衝機構を設けることにより、風等の外力によって、開き戸にがたつき等を生じることを防止することができる。
【図面の簡単な説明】
【００１５】
【図１】本考案の室内錠の一実施例を示す施錠時の全体断面図である。
【図２】同室内錠の開錠時の全体断面図である。
【図３】同室内錠の脱出時の全体断面図である。
【図４】同室内錠の操作説明図で、（ａ）は施錠時、（ｂ）は開錠時である。
【図５】同室内錠の操作説明図で、（ａ）は施錠時、（ｂ）は解錠時（脱出時）である。
【図６】同室内錠の説明図で、（ａ）は左側面図、（ｂ）は平面図、（ｃ）は右側面図、（ｄ）及び（ｅ）は斜視図である。
【図７】同室内錠の分解図で、（ａ）は平面図、（ｂ）は右側面図である。
【図８】同室内錠の斜視図である。
【図９】同室内錠の施錠部材の説明図で、（ａ）は平面図、（ｂ）は正面図、（ｃ）は底面図、（ｄ）は左側面図、（ｅ）は右側面図、（ｆ）は断面図、（ｇ）は斜視図である。
【図１０】同室内錠の施錠部材の分解図で、（ａ）は正面図、（ｂ）は左側面、（ｃ）及び（ｄ）は斜視図である。
【図１１】同室内錠の施錠部材の作用の説明図である。
【図１２】同室内錠の施錠部材の戸枠当接体の変形実施例を示し、（ａ）は施錠時の全体図（取付部省略）、（ｂ１）は回転操作用キャップの平面面、（ｂ２）は同正面図、（ｂ３）は同右側面図である。
【考案を実施するための形態】
【００１６】
以下、本考案の室内錠の実施の形態を図面に基づいて説明する。
【００１７】
図１〜図１１に、本考案の室内錠の一実施例を示す。
この室内錠は、建造物内の部屋の内開き式の開き戸１に、室外方向に突出する施錠部材保持片３を取付部４を介して取り付け、この施錠部材保持片３の先端側に施錠部材５を装着し、この施錠部材５を戸枠２側に当接させることにより施錠を行うように構成されている。
【００１８】
取付部４は、取付部本体４１に配設したナット４２ｂに螺合するねじボルト４２ａの先端に挟持片４３を取り付け、これにより、ねじボルト４２ａを回転操作することにより軸方向に出没させることで挟持片４３を移動させ、挟持片４３と施錠部材保持片３とで、開き戸１を挟持し、室内錠を開き戸１に固定することができるようにしている。
なお、挟持片４３は、本体部４３ａとゴムパッキン４３ｂとで構成するようにしている。
【００１９】
ところで、本実施例の室内錠は、施錠部材保持片３と取付部４とを室内側で分離可能に構成することにより、施錠部材５が施錠状態のときに、施錠部材保持片３と取付部４とを室内側で分離して解錠することができるようにしている。
【００２０】
施錠部材保持片３と取付部４とを室内側で分離可能にする機構として、具体的には、取付部４にカム４４をばね４５の付勢力に抗して引き操作可能に配設し、図５（ａ）に示すように、カム４４の係止部４４ａを施錠部材保持片３の基端側に形成した係止孔３２に係合させることにより、施錠部材保持片３に取付部４を一体化させるようにするとともに、図５（ｂ）に示すように、カム４４をばね４５の付勢力に抗して引き操作することにより、カム４４の係止部４４ａと、施錠部材保持片３の基端側に形成した係止孔３２との係合を解除し、この状態でドアノブ６を持って開き戸１を引き操作することにより、施錠部材保持片３と取付部４とを室内側で分離することができるようにしている。
【００２１】
この場合、カム４４の引き操作は、リング部材４６によって行うようにするとともに、取付部４には、操作方法（例えば、「非常脱出機能付  リングを蝶番側に引き扉を開く」等）を記載した指示シール４７を貼付するようにしている。
【００２２】
また、取付部４の取付部本体４１は、カバー４１ａで覆うことにより組み立てるようにする。
【００２３】
一方、施錠部材５は、図９〜図１０に示すように、本体５０に、錠機構として、シリンダ錠５１と、シリンダ錠５１と反対側に形成され、施錠部材保持片３が挿入されるスリット状の穴５２とを有し、シリンダ錠５１に鍵５６を差し込んで回すことにより、スリット状の穴５２の奥に出没可能に設けられたラッチボール５５を突出状態で固定するように構成されている。
そして、スリット状の穴５２に挿入された施錠部材保持片３の透孔３１を、ラッチボール５５で係止することにより、施錠部材保持片３に施錠できるように構成されている。
このように、施錠部材５に施錠部材保持片３が挿入されるスリット状の穴５２を形成し、スリット状の穴５２の奥に出没可能に設けられたラッチボール５５を突出状態で固定するようにしているので、ラッチボール５５が外部に露出せず、このため、不正開錠がされにくいという利点がある。
【００２４】
ここで、施錠部材５には、施錠部材５を施錠部材保持片３に施錠したときに、施錠部材５が戸枠２側に当接させることにより施錠を行うようにするために、本体５０に、戸枠当接部５０ａ及び扉当接部５０ｂを一体に設けるようにしている。
戸枠当接部５０ａには、施錠時の戸枠当接部５０ａと戸枠２との隙間をなくすように調整する、戸枠当接体５３を突出寸法を調節可能に設けるようにしている。
【００２５】
戸枠当接体５３は、雌ねじを形成した本体５３ａと、雄ねじ部材５３ｂと、キャップ５３ｃからなり、本体５３ａを回転操作することにより、戸枠当接部５０ａからの突出寸法を調節できるようにしている。
これにより、仕様の異なる種々の内開き式の開き戸１及び戸枠２に、がたつき等を生じることなく、簡易に対応することができる。
この場合、キャップ５３ｃに代えて、図１２に示す変形実施例のように、戸枠当接体５３に、戸枠当接体５３の突出寸法を調節する回転操作用キャップ５３ｄを設けることができる。
この回転操作用キャップ５３ｄは、戸枠当接体５３の本体５３ａに対する嵌着部５３ｅの先端に、戸枠当接体５３の直径より大きな径の円盤形状で、外周面にローレット加工を施した、戸枠２に対する当接部５３ｆを備えるようにしている。
これにより、戸枠２、特に、幅Ｗの狭い戸枠２に対する戸枠当接体５３の当接状態を確実にすることができるとともに、戸枠当接体５３の突出寸法の調節を、当接部５３ｆを回転操作することで本体５３ａを回転させることができ、例えば、施錠部材５を施錠部材保持片３に施錠した状態でも簡単に行うことができる。
【００２６】
さらに、この戸枠当接体５３は、緩衝機構５４を備えるようにしている。
本実施例において、緩衝機構５４は、戸枠当接体５３の本体５３ａの外周面に接するように、ねじれの位置に配設したばね部材からなる。
これにより、風等の外力によって、開き戸１にがたつき等を生じることを防止することができる。
なお、緩衝機構５４は、例えば、戸枠当接体５３の本体５３ａの軸方向に配設したばね部材で構成することもできる。
【００２７】
また、開き戸１の表面に当接する扉当接部５０ｂを設けることにより、施錠部材５を施錠した施錠部材保持片３の先端部を蝶番側に折り曲げにくくすることで、図１１（ｂ）に示すように、施錠部材保持片３の先端部を折り曲げて施錠部材５の戸枠当接部５０ａの戸枠２側への当接状態を解除する不正解錠を防止することができる。
このため、図１１（ａ）に示すように、扉当接部５０ｂの水平方向の寸法Ｗ２は、戸枠当接部５０ａの水平方向の寸法Ｗ１の２倍程度に形成することが望ましい。
【００２８】
この室内錠は、施錠部材５が施錠状態のときに、施錠部材保持片３と取付部４を室内側で分離して解錠することができ、これにより、内開き式の開き戸１の後付けの室内錠として使用でき、かつ、施錠時の室内からの脱出を可能にすることができるため、安全性の高い室内錠とすることができる。
そして、特に、引き操作という簡易な操作によって、施錠部材保持片３と取付部４を室内側で分離して解錠することができ、施錠時の室内からの脱出を可能にすることができるため、安全性を一層向上することができる。
【００２９】
以上、本考案の室内錠について、その実施例に基づいて説明したが、本考案は上記実施例に記載した構成に限定されるものではなく、施錠部材保持片３と取付部４とを室内側で分離可能にする機構として、例えば、引き抜きピンによる連結構造を採用するようにする等、その趣旨を逸脱しない範囲において適宜その構成を変更することができる。
【産業上の利用可能性】
【００３０】
本考案の室内錠は、建造物内の部屋の内開き式の開き戸の後付けの室内錠として使用でき、かつ、施錠時の室内からの脱出を可能にしたものであることから、持ち家、賃貸住宅等の建造物内の特定の部屋の施錠をするために使用する後付けの室内錠としての用途に好適に用いることができるほか、内開き式の開き戸の室内錠としての用途に広く用いることができる。
【符号の説明】
【００３１】
１  開き戸（扉）
２  戸枠
３  施錠部材保持片
３１  透孔
３２  係止孔
４  取付部
４１  取付部本体
４２ａ  ねじボルト
４２ｂ  ナット
４３  挟持片
４４  カム
４４ａ  係止部
４５  ばね
４６  リング部材
４７  指示シール
５  施錠部材
５０  本体
５０ａ  戸枠当接部
５０ｂ  扉当接部
５１  シリンダ錠（錠機構）
５２  スリット状の穴
５３  戸枠当接体
５３ａ  本体
５３ｂ  雄ねじ部材
５３ｃ  キャップ
５３ｄ  回転操作用キャップ
５３ｅ  嵌着部
５３ｆ  当接部
５４  緩衝機構
５５  ラッチボール
５６  鍵
【図１】
0003225629.tif 000003
【図２】
0003225629.tif 000004
【図３】
0003225629.tif 000005
【図４】
0003225629.tif 000006
【図５】
0003225629.tif 000007
【図６】
0003225629.tif 000008
【図７】
0003225629.tif 000009
【図８】
0003225629.tif 000010
【図９】
0003225629.tif 000011
【図１０】
0003225629.tif 000012
【図１１】
0003225629.tif 000013
【図１２】
0003225629.tif 000014
【手続補正書】
【提出日】令和2年1月20日(2020.1.20)
【手続補正１】
【補正対象書類名】実用新案登録請求の範囲
【補正対象項目名】全文
【補正方法】変更
【補正の内容】
【実用新案登録請求の範囲】
【請求項１】
内開き式の開き戸に、室外方向に突出する施錠部材保持片を取付部を介して取り付け、該施錠部材保持片の先端側に施錠部材を装着し、該施錠部材を戸枠側に当接させることにより施錠を行う室内錠であって、前記施錠部材保持片の基端側に取付部を配置し、該基端側に形成した係止孔に、取付部に配設したカムの係止部を係合させることにより、施錠部材保持片に取付部を一体化させるようにするとともに、前記係止孔に対するカムの係止部の係合を解除することにより、施錠部材保持片と取付部とを室内側で分離可能に構成して、施錠部材が施錠状態のときに、施錠部材保持片と取付部とを室内側で分離して解錠することができるようにするとともに、施錠部材に戸枠当接部及び扉当接部を一体に設けたことを特徴とする室内錠。
【請求項２】
前記取付部にカムをばねの付勢力に抗して引き操作可能に配設し、該カムの係止部を施錠部材保持片の基端側に形成した係止孔に係合させることにより、施錠部材保持片に取付部を一体化させるようにするとともに、カムをばねの付勢力に抗して引き操作することにより、カムの係止部と、施錠部材保持片の基端側に形成した係止孔との係合を解除することにより、施錠部材保持片と取付部とを室内側で分離可能にしたことを特徴とする請求項１に記載の室内錠。
【請求項３】
前記施錠部材の戸枠当接部に、回転操作することによりねじを介して戸枠当接部からの突出寸法を調節可能にしたキャップを備えた戸枠当接体を設けたことを特徴とする請求項１又は２に記載の室内錠。
【請求項４】
前記戸枠当接体に備えたキャップが、回転操作用キャップからなることを特徴とする請求項３に記載の室内錠。
【請求項５】
前記施錠部材の戸枠当接部の戸枠当接体に緩衝機構を設けたことを特徴とする請求項３又は４に記載の室内錠。